(57)【要約】【課題】蓋板を別に用意する必要がなく、個々に容易に脱着できる蓋部を備え、積重ねも可能な段ボール製包装箱を提供する。【解決手段】短辺側の対向側板３，３の上端に連設され先に閉じられる上蓋形成用フラップ７，７と、長辺側の対向側板２，２の上端に連設され短辺側の対向側板３，３の幅方向中央部において先端同士が互いに突き合わせ状態で閉じられる上蓋形成用フラップ６，６とを備え、この上蓋形成用フラップ６，６の突き合わせ部が粘着テープ１２により封緘されるように構成され、この上蓋形成用フラップ６，６には長辺側の対向側板２，２との連設部およびこの上蓋形成用フラップ６，６の両側部から適当幅をあけて凵状にジッパー状カット線６ａ，６ａが形成され、前記上蓋形成用フラップ７，７には短辺側の対向側板３，３との連設部およびこの上蓋形成用フラップ７，７の両側部から適当幅をあけて凵状にジッパー状カット線７ａ，７ａが形成されている。【選択図】    図１
2006044756.tif 000002
【特許請求の範囲】
【請求項１】
２組の対向側板と、この対向側板の下端に連設された底板形成用フラップと、この対向側板の上端に連設された上蓋形成用フラップとを備えてなり、平面形状が矩形の段ボール製包装箱であって、前記上蓋形成用フラップは１組の対向側板の上端に連設され先に閉じられる上蓋形成用フラップと、他の組の対向側板の上端に連設され１組の対向側板の幅方向中央部において先端同士が互いに突き合わせ状態で閉じられる上蓋形成用フラップとからなり、この他の組の対向側板の上端に連設された上蓋形成用フラップの突き合わせ部が粘着テープにより封緘されるように構成され、この他の組の対向側板の上端に連設された上蓋形成用フラップには他の組の対向側板との連設部およびこの上蓋形成用フラップの両側部から適当幅をあけて凵状にジッパー状カット線が形成され、さらに前記１組の対向側板の上端に連設された上蓋形成用フラップには１組の対向側板との連設部およびこの上蓋形成用フラップの両側部から適当幅をあけて凵状にジッパー状カット線が形成されていることを特徴とする段ボール製包装箱。
【請求項２】
他の組の対向側板の上端に連設された上蓋形成用フラップには他の組の対向側板との連設部と平行なジッパー状カット線に接してこのジッパー状カット線で囲まれる部分に半円形にジッパー状カット線が形成されてあり、また１組の対向側板の上端に連設された上蓋形成用フラップにはこの上蓋形成用フラップの両側部と平行なジッパー状カット線に接してこのジッパー状カット線で囲まれた部分に半円形にジッパー状カット線が形成されていることを特徴とする請求項１記載の段ボール製包装箱。
【請求項３】
他の組の対向側板の上端に連設された上蓋形成用フラップには凵状に形成されたジッパー状カット線で囲まれる範囲を２分する位置にジッパー状カット線が形成されていることを特徴とする請求項１または２記載の段ボール製包装箱。
【発明の詳細な説明】
【技術分野】
【０００１】
本発明は、例えばなすや胡瓜などの野菜類を包装するための段ボール製包装箱に関するものである。
【背景技術】
【０００２】
従来からなすや胡瓜などの野菜類を生産地において段ボール製の包装箱に収納包装し、そのまま小売店に搬送し、包装箱の上端を開いてディスプレーする場合が多くなっている。
【０００３】
このような生産地での野菜の収納包装からディスプレーに適した包装箱として例えば特許文献１に開示されているようなトレイカートンが知られている。
この特許文献１に開示されているトレイカートンは、上面を全面に亘って開放した直方体状に製箱したトレイカートンにおいて、底面板と左右の側面板との連設部に積重ね繋止孔を、左右の側面板と側面内板との連設部に積重ね繋止突起を形成し、トレイカートンを積重ねたとき、上側のトレイカートンの積重ね繋止孔が下側のトレイカートンの積重ね繋止突起に係合して積重ねできるようになっている。つまり、このトレイカートンは上面が全面に亘って開放されているので、トレイカートンを複数段積重ねようとしても上側のトレイカートンが下側のトレイカートンに落ち込み、積重ねが難しいことから底面板と左右の側面板との連設部に積重ね繋止孔を、左右の側面板と側面内板との連設部に積重ね繋止突起を形成してあるのである。
【特許文献１】特開平９−２０７９４０号公報
【発明の開示】
【発明が解決しようとする課題】
【０００４】
上記特許文献１に開示されているトレイカートンは複数段の積重ねができるものの、トレイカートンの上端が開口していることにより、野菜にほこりやごみが付着するのを防止するために複数段積重ねられたトレイカートンの最上段のトレイカートンの上端に別に用意した蓋板を被せ、包装用のバンドにより一まとめにしなければならないという問題がある。
【０００５】
また、トレイカートンを単体、つまり１つづつ搬送する場合もトレイカートンの上端に蓋板を被せ、バンドにより一まとめにしなければならないという問題がある。
本発明の目的は、このような課題を解決するものであり、蓋板を別に用意する必要がなく、個々に容易に脱着できる蓋部を備え、積重ねも可能な段ボール製包装箱を提供することにある。
【課題を解決するための手段】
【０００６】
本発明の請求項１に記載の段ボール製包装箱は、２組の対向側板と、この対向側板の下端に連設された底板形成用フラップと、この対向側板の上端に連設された上蓋形成用フラップとを備えてなり、平面形状が矩形の段ボール製包装箱であって、前記上蓋形成用フラップは１組の対向側板の上端に連設され先に閉じられる上蓋形成用フラップと、他の組の対向側板の上端に連設され１組の対向側板の幅方向中央部において先端同士が互いに突き合わせ状態で閉じられる上蓋形成用フラップとからなり、この他の組の対向側板の上端に連設された上蓋形成用フラップの突き合わせ部が粘着テープにより封緘されるように構成され、この他の組の対向側板の上端に連設された上蓋形成用フラップには他の組の対向側板との連設部およびこの上蓋形成用フラップの両側部から適当幅をあけて凵状にジッパー状カット線が形成され、さらに前記１組の対向側板の上端に連設された上蓋形成用フラップには１組の対向側板との連設部およびこの上蓋形成用フラップの両側部から適当幅をあけて凵状にジッパー状カット線が形成されていることを特徴とする。
【０００７】
請求項２に記載の段ボール製包装箱は、他の組の対向側板の上端に連設された上蓋形成用フラップには他の組の対向側板との連設部と平行なジッパー状カット線に接してこのジッパー状カット線で囲まれる部分に半円形にジッパー状カット線が形成されてあり、また１組の対向側板の上端に連設された上蓋形成用フラップにはこの上蓋形成用フラップの両側部と平行なジッパー状カット線に接してこのジッパー状カット線で囲まれた部分に半円形にジッパー状カット線が形成されていることを特徴とする。
【０００８】
請求項３に記載の段ボール製包装箱は、他の組の対向側板の上端に連設された上蓋形成用フラップには凵状に形成されたジッパー状カット線で囲まれる範囲を２分する位置にジッパー状カット線が形成されていることを特徴とする。
【発明の効果】
【０００９】
以上のように、本発明の段ボール製包装箱は、上側に位置する上蓋形成用フラップおよびその下側に位置する上蓋形成用フラップにそれぞれ凵状にジッパー状カット線を形成してあり、このジッパー状カット線で囲まれる部分を取り除くことにより、包装箱の上面を大きく開口させることができる。また、出荷搬送状態においては上蓋は閉じられているので複数段積重ねることも可能で、前記従来例のように蓋板を別に用意する必要もない。
【発明を実施するための最良の形態】
【００１０】
以下、本発明の一実施の形態を、図１〜図１０に基づいて具体的に説明する。
図において、１は段ボール板を材料として作られ平面形状が長方形（もしくは正方形）などの矩形の高さの低い包装箱であって、２組の対向側板２，２、３，３と、この対向側板２，２、３，３の下端に連設された底板形成用フラップ４，４、５，５と、この対向側板２，２、３，３の上端に連設された上蓋形成用フラップ６，６、７，７とを備えている。具体的には、２組の対向側板２，２、３，３の内、一方の対向側板２，２の幅が他方の対向側板３，３の幅に比べて長い寸法に設定されて、その長辺側の対向側板２，２の下端に連設された第１の底板形成用フラップ４，４は短辺側の対向側板３，３の幅方向中央部において先端同士が互いに突き合わせ状態となり、続いて短辺側の対向側板３，３の下端に連設された第２の底板形成用フラップ５，５の両端の差込片８，８を長辺側の対向側板２，２の下端との連設線に近接するように前記第１の底板形成用フラップ４，４に形成された差込孔４ａ，４ａに差し込むことにより底板が形成されるようになっている。さらに詳しくは、第２の底板形成用フラップ５，５は第１の２枚の底板形成用フラップ４，４に跨るようにして第１の２枚の底板形成用フラップ４，４の各１つづつの差込孔４ａ，４ａに差込片８，８が差し込まれ、底板の閉塞状態が保持されるものである。なお、第２の底板形成用フラップ５，５には差込孔４ａ，４ａに対する差込片８，８の差し込みを容易に行なえるようにするために短辺側の対向側板３，３の下端との連設線と平行に折り曲げ線９，９が形成されている。つまり、差込孔４ａ，４ａに対する差込片８，８の差し込み時に第２の底板形成用フラップ５，５を折り曲げ線９，９で折り曲げることにより差込孔４ａ，４ａに対する差込片８，８の差し込みを容易に行なえる。前記差込片８，８は第２の底板形成用フラップ５，５の先端より切り込み１０を入れることにより形成され、差込片８，８の先端角部にテーパー状のカット部８ａ，８ａが形成されている。そして、第２の各底板形成用フラップ５において２つの切り込み１０，１０間の板部が押さえ片１１となる。
【００１１】
次に、上蓋形成用フラップ６，６、７，７について説明すると、短辺側の対向側板３，３の上端に連設された上蓋形成用フラップ７，７は先に閉じられ、その上から長辺側の対向側板２，２の上端に連設された上蓋形成用フラップ６，６が短辺側の対向側板３，３の幅方向中央部において先端同士が互いに突き合わせ状態で閉じられ、上蓋形成用フラップ６，６の突き合わせ部が粘着テープ１２により封緘されるようになっている。ところで、前記上蓋形成用フラップ６，６には長辺側の対向側板２，２との連設部および上蓋形成用フラップ６，６の両側部から適当幅をあけて凵状にジッパー状カット線６ａ，６ａが形成され、このジッパー状カット線６ａ，６ａで囲まれる範囲を２分する位置にジッパー状カット線６ｂ，６ｂが形成されている。つまり、上蓋形成用フラップ６，６にはジッパー状カット線６ｂ，６ｂを境に２つの切り取り部１３，１３が形成されている。なお、長辺側の対向側板２，２との連設部と平行なジッパー状カット線６ａ，６ａに接してこのジッパー状カット線６ａ，６ａで囲まれ且つジッパー状カット線６ｂで仕切られた部分には半円形にジッパー状カット線６ｃ，６ｃが形成されている。また、前記上蓋形成用フラップ７，７には短辺側の対向側板３，３との連設部および上蓋形成用フラップ７，７の両側部から適当幅をあけて凵状にジッパー状カット線７ａ，７ａが形成され、上蓋形成用フラップ７，７の両側部と平行なジッパー状カット線７ａ，７ａに接してこのジッパー状カット線７ａ，７ａで囲まれた部分には半円形にジッパー状カット線７ｂ，７ｂが形成されている。
【００１２】
上記構成において、包装箱１の内部になすや胡瓜などの野菜類を収納する場合は、先に底板形成用フラップ４，４、５，５を組み立てて底板を形成し、上端が開口した状態の包装箱１に野菜類を収納する。かかる状態で前述のごとく上蓋形成用フラップ６，６、７，７を閉じ、上蓋形成用フラップ６，６の突き合わせ部を全長に亘って粘着テープ１２により封緘し、出荷する。この際、包装箱１を１個単位で出荷することもあるが、複数個出荷する場合は、包装箱１を複数積重ねて包装用のバンドにより一まとめにして出荷する。
【００１３】
小売店に搬送された野菜類を収納する包装箱１は箱のままディスプレーされるのであるが、そのために前記上蓋形成用フラップ６，６、７，７を開く必要がある。そこで、本実施の形態では前述のごとく上蓋形成用フラップ６，６にジッパー状カット線６ａ，６ａ、６ｂ，６ｂ、６ｃ，６ｃを形成し、上蓋形成用フラップ７，７にジッパー状カット線７ａ，７ａ、７ｂ，７ｂを形成してあることにより、これらジッパー状カット線６ａ，６ａ、６ｂ，６ｂ、６ｃ，６ｃおよび７ａ，７ａ、７ｂ，７ｂを破ってジッパー状カット線６ａ，６ａ、６ｂ，６ｂおよび７ａ，７ａで囲まれる部分を取り除くことにより、包装箱１の上面を大きく開口させることができる。さらに詳しくは、ジッパー状カット線６ａ，６ａ、６ｂ，６ｂおよび７ａ，７ａで囲まれる部分を取り除くとき、図面に示す実施の形態のように上蓋形成用フラップ６，６の突き合わせ部の両端においてジッパー状カット線６ａ，６ａの位置で粘着テープ１２をカッターナイフなどで分断させ、かかる状態で上側に位置する上蓋形成用フラップ６，６の半円形のジッパー状カット線６ｃ，６ｃとジッパー状カット線６ａ，６ａで囲まれる部分を押し込んで指孔を形成し、この指孔に指を掛けてジッパー状カット線６ａ，６ａで囲まれる部分を破り取り、上蓋形成用フラップ６，６に開口部を形成するのである。このとき、ジッパー状カット線６ａ，６ａで囲まれる範囲を２分する位置にあるジッパー状カット線６ｂ，６ｂを破るようにすればジッパー状カット線６ａ，６ａで囲まれる部分を半分づつ破り取ることができる。その後、上蓋形成用フラップ６，６の下側、つまり内側に位置する上蓋形成用フラップ７，７を開口させる場合は半円形のジッパー状カット線７ｂ，７ｂとジッパー状カット線７ａ，７ａで囲まれる部分を押し込んで指孔を形成し、この指孔に指を掛けてジッパー状カット線７ａ，７ａで囲まれる部分を破り取り、上蓋形成用フラップ７，７に開口部を形成するのである。
【００１４】
以上のようにして上蓋を小売店において簡単に開口させることができ、ディスプレーに供することができる。なお、前記ジッパー状カット線６ａ，６ａで囲まれる範囲を２分する位置にあるジッパー状カット線６ｂ，６ｂは特に必要ではないが、設けておくことにより上蓋形成用フラップ６，６の開口作業が行ないやすくなる。また、底板については図面に示す実施の形態に限定されるものではない。
【図面の簡単な説明】
【００１５】
【図１】本発明の一実施の形態の包装箱の展開図である。
【図２】同包装箱を上下逆にして底板を組み立てる途中の状態を示す斜視図である。
【図３】同包装箱を上下逆にして底板を組み立てた状態を示す斜視図である。
【図４】同包装箱の上蓋を組み立てる途中の状態を示す斜視図である。
【図５】同包装箱の上蓋を封緘した状態を示す斜視図である。
【図６】同包装箱の上蓋を開口する最初の状態を示す斜視図である。
【図７】同包装箱の上側に位置する上蓋形成用フラップを開口する途中の状態を示す斜視図である。
【図８】同包装箱の上側に位置する上蓋形成用フラップを開口した状態を示す斜視図である。
【図９】同包装箱の下側に位置する上蓋形成用フラップを開口する途中の状態を示す斜視図である。
【図１０】同包装箱の下側に位置する上蓋形成用フラップを開口した状態を示す斜視図である。
【符号の説明】
【００１６】
１                  包装箱
２，３              側板
４，５              底板形成用フラップ
４ａ                差込孔
６，７              上蓋形成用フラップ
６ａ，６ｂ，６ｃ    ジッパー状カット線
７ａ，７ｂ          ジッパー状カット線
８                  差込片
９                  折り曲げ線
１０                  切り込み
１１                  押さえ片
１２                  粘着テープ
１３                  切り取り部
【図１】
2006044756.tif 000003
【図２】
2006044756.tif 000004
【図３】
2006044756.tif 000005
【図４】
2006044756.tif 000006
【図５】
2006044756.tif 000007
【図６】
2006044756.tif 000008
【図７】
2006044756.tif 000009
【図８】
2006044756.tif 000010
【図９】
2006044756.tif 000011
【図１０】
2006044756.tif 000012